(57)【要約】【課題】機械式ロックにより制御される情報セキュリティ機能を備えた外付けハードディスクドライブを提供する。【解決手段】信号ケーブルによりコンピュータシステムに接続され、電気コードにより電源供給器に接続された外付けハードディスクドライブであって、前面板と背面板を備えたハウジングと、ハウジングに設置され、ハードディスクとスイッチを有し、スイッチがオンにされるとハードディスクがアクセス可能となり、スイッチがオフにされると、ハードディスクがアクセス不能となるハードディスクユニットと、鍵によって、スイッチがオンになるロック解除位置とスイッチがオフになるロック位置とに駆動されるロックコアを備え、ハウジングの前面板に設置された機械式ロックとを備える。【選択図】図２
2007242097.tif 000002
【特許請求の範囲】
【請求項１】
信号ケーブルによりコンピュータシステムに接続され、電気コードにより電源供給器に接続された外付けハードディスクドライブであって、
前面板と背面板を備えたハウジングと、
前記ハウジング内に設置され、ハードディスクとスイッチを有し、前記スイッチがオンにされると前記ハードディスクがアクセス可能となり、前記スイッチがオフにされると、前記ハードディスクがアクセス不能となるハードディスクユニットと、
鍵によって、前記スイッチがオンになるロック解除位置と前記スイッチがオフになるロック位置とに駆動されるロックコアを備え、前記ハウジングの前面板に設置された機械式ロックと、
を備えることを特徴とする情報セキュリティ機能を備えた外付けハードディスクドライブ。
【請求項２】
前記ハウジングに設置された放熱ファンを含み、前記ハウジングの前面板に複数の通気孔を設け、前記ハウジングの背面板に複数の通気孔を設けたことを特徴とする請求項１に記載の情報セキュリティ機能を備えた外付けハードディスクドライブ。
【請求項３】
信号ケーブルによりコンピュータシステムに接続され、電気コードにより電源供給器に接続された外付けハードディスクドライブであって、
前面板と背面板を備えたハウジングと、
前記ハウジングの背面板上に設置され、前記電気コードに接続された電気ソケットと、
前記ハウジングの背面板上に設置され、前記信号ケーブルに接続されたインターフェースアダプタと、
前記ハウジング内に設置され、前記インターフェースアダプタに接続されたハードディスクと前記電気ソケットに接続されたスイッチとを備え、前記スイッチがオンにされると、前記ハードディスクと前記電気ソケットとが接続され、前記スイッチがオフにされると、前記ハードディスクと前記電気ソケットとの間の接続が切断されるハードディスクユニットと、
鍵によって、前記スイッチがオンになるロック解除位置と前記スイッチがオフになるロック位置とに駆動されるロックコアを備え、前記ハウジングの前面板に設置された機械式ロックと、
を備えることを特徴とする情報セキュリティ機能を備えた外付けハードディスクドライブ。        
【請求項４】
前記ハウジングに設置された放熱ファンを含み、前記ハウジングの前面板に複数の通気孔を設け、前記ハウジングの背面板に複数の通気孔を設けたことを特徴とする請求項３に記載の情報セキュリティ機能を備えた外付けハードディスクドライブ。
【請求項５】
信号ケーブルによりコンピュータシステムに接続され、電気コードにより電源供給器に接続された外付けハードディスクドライブであって、
前面板と背面板を備えたハウジングと、
前記ハウジングの背面板上に設置され、前記電気コードに接続された電気ソケットと、
前記ハウジングの背面板上に設置され、前記信号ケーブルに接続されたインターフェースアダプタと、
前記ハウジング内に設置され、前記電気ソケットに接続されたハードディスクと前記インターフェースアダプタに接続されたスイッチとを備え、前記スイッチがオンにされると、前記ハードディスクと前記インターフェースアダプタとが接続され、前記スイッチがオフにされると、前記ハードディスクと前記インターフェースアダプタとの間の接続が切断されるハードディスクユニットと、
鍵によって、前記スイッチがオンになるロック解除位置と前記スイッチがオフになるロック位置とに駆動されるロックコアを備え、前記ハウジングの前面板に設置された機械式ロックと、
を備えることを特徴とする情報セキュリティ機能を備えた外付けハードディスクドライブ。        
【請求項６】
前記ハウジングに設置された放熱ファンを含み、前記ハウジングの前面板に複数の通気孔を設け、前記ハウジングの背面板に複数の通気孔を設けたことを特徴とする請求項５に記載の情報セキュリティ機能を備えた外付けハードディスクドライブ。
【発明の詳細な説明】
【技術分野】
【０００１】
本発明は外付けハードディスクドライブに関し、詳細には、機械式ロックにより制御される情報セキュリティ機能と放熱機能を備えた外付けハードディスクドライブに関する。
【背景技術】
【０００２】
従来の外付けハードディスクドライブとしては、台湾特許公告第４２８６４２号に示されるハードディスクボックスと、ハードディスクボックスに搭載されたリムーバブルハードディスクから構成されるものがあり、このハードディスクボックスは、リムーバブルハードディスクをロック及び/またはロック解除する機械式ロックを含む。しかしながら、リムーバブルハードディスクに含まれる情報は、このリムーバブルハードディスクがハードディスクボックスから取り外されたり盗まれたりすると、容易に他人に読まれてしまう。
【０００３】
他の先行技術には、台湾特許公告第５７０２１７号に示されるハードディスクドライブの情報を読み取られたり盗まれたりするのを防ぐポータブルキーの技術がある。しかしながら、このような技術はコンピュータにハードディスクドライブ管理モジュールプログラムをインストールする必要があり、このコンピュータのＵＳＢポートにポータブルキーが挿入されると、ハードディスクドライブ管理プログラムが、そのポータブルキー内のコードを照合し、コードが承認された場合のみそのコンピュータのハードディスクドライブの情報にアクセスすることができる。さらに、台湾特許公告第５３４４１３号にも似たような技術が示されており、これはロック解除キーとロック装置を用いてコンピュータのハードディスクドライブの情報を保護するものである。しかしながら、これら従来の外付けハードディスクドライブはすべて構造が複雑であり、サポートソフトウェアを必要とするため、ハードディスクドライブの価格上昇を招いている。
【発明の開示】
【発明が解決しようとする課題】
【０００４】
本発明は従来の外付けハードディスクドライブの欠点を軽減または排除するものである。本発明の主な目的は、機械式ロックにより制御される情報セキュリティ機能を備えた外付けハードディスクドライブを提供することにある。
【課題を解決するための手段】
【０００５】
本発明は、信号ケーブルによりコンピュータシステムに接続され、電気コードにより電源供給器に接続された外付けハードディスクドライブであって、前面板と背面板を備えたハウジングと、ハウジングに設置され、ハードディスクとスイッチを有し、スイッチがオンにされるとハードディスクがアクセス可能となり、スイッチがオフにされると、ハードディスクがアクセス不能となるハードディスクユニットと、鍵によって、スイッチがオンになるロック解除位置とスイッチがオフになるロック位置とに駆動されるロックコアを備え、ハウジングの前面板に設置された機械式ロックと、を備えることを特徴とする。
【発明の効果】
【０００６】
本発明は構造が簡単であり、別途ソフトウェアのサポートを必要としないため、本発明の外付けハードディスクドライブはより優れた情報セキュリティ機能をより低価格で提供することができる。  
【発明を実施するための最良の形態】
【０００７】
本発明の詳細な構成及び利点についてより深い理解を促すため、以下、図面に基づき詳細に説明する。
【０００８】
図１に示すように、本発明の好ましい実施形態に基づく外付けハードディスクドライブは、前面板１０及び背面板１１を備えたハウジング１と、ハウジング１に設置されたハードディスクユニット２と、ハウジング１に設置された機械式ロック３を含み、そのうち、機械式ロック３は、ハウジング１の前面板１０に設置されたロックコア３０と、ロックコア３０を回転させるためロックコア３０に挿入される鍵３１を含む。
【０００９】
図２に示す外付けハードディスクドライブは、信号ケーブル４によりコンピュータシステム５に接続し、かつ、電気コード４０により電源供給器６に接続する。ハードディスクユニット２は、ハードディスク２０とスイッチ２１を含む。電源供給器６は、電気コード４０を介して、ハードディスク２０に電源を供給する。ハードディスク２０は、スイッチ２１及び信号ケーブル４を介してコンピュータシステム５に接続する。スイッチ２１は、電子式スイッチまたは機械式スイッチとする。信号ケーブル４は、USB、SATA、PATA、IDEいずれかの接続ケーブルとする。
【００１０】
ロックコア３０は、鍵３１により、スイッチ２１がオンになるロック解除位置とスイッチ２１がオフになるロック位置に回転させることができる。スイッチ２１が、機械式ロック３によりオンにされると、ハードディスク２０が、コンピュータシステム５に接続し、コンピュータシステム５が、信号ケーブル４とスイッチ２１を介して、ハードディスク２０の情報にアクセスすることができる。図２に示すように、スイッチ２１が、機械式ロック３によりオフにされると、ハードディスク２０とコンピュータシステム５との間の接続が切断され、コンピュータシステム５は、ハードディスク２０の情報にアクセスすることができなくなる。
【００１１】
図３に示す外付けハードディスクドライブは、図２に示す外付けハードディスクドライブに似ているが、異なる点は電源供給器６が、電気コード４０とスイッチ２１を介して、ハードディスク２０に電源を供給し、ハードディスク２０は、信号ケーブル４を介して、常にコンピュータシステム５に接続される。スイッチ２１が、ロックコア３０と鍵３１間の相対動作によりオンにされると、電源供給器６が、ハードディスク２０に電源を供給して、ハードディスク２０が起動し、コンピュータシステム５が、信号ケーブル４を介して、ハードディスク２０の情報にアクセスすることができる。図３に示すように、スイッチ２１がオフにされると、ハードディスク２０と電源供給器６との間の接続が切断し、コンピュータシステム５は、ハードディスク２０の情報にアクセスできなくなる。
【００１２】
図４に示す外付けハードディスクドライブは、さらにハウジング１の背面板１１に設置され、電気コード４０に接続した電気ソケット８と、ハウジング１の背面板１１に設置され、信号ケーブル４に接続したインターフェースアダプタ８０と、電源供給器を制御する押しボタン８１を含む。図２に示すように、スイッチ２１が、ハードディスク２０とインターフェースアダプタ８０との間に設置される。また、図３に示すように、スイッチ２１は、ハードディスク２０と電気ソケット８との間に設置される。
【００１３】
最後に、ロックコア３０は、鍵３１により回転され、コンピュータシステム５がハードディスク２０の情報にアクセスすることができるようハードディスク２０をロック解除するか、または、コンピュータシステム５が、ハードディスク２０の情報にアクセスできないようハードディスク２０をロックすることができる。これにより、上述の外付けハードディスクドライブは簡単な構造で優れた情報セキュリティ機能を持つことができる。
【００１４】
図１及び図４に示すように、外付けハードディスクドライブはさらにハウジング１に設置された放熱ファン７を含み、ハウジング１の前面板１０は複数の通気孔１０１を備え、かつ、ハウジング１の背面板１１は複数の通気孔１１１を備えている。これにより、外付けハードディスクドライブは、放熱ファン７と通気孔１０１、１１１により優れた放熱効果を得ることができる。
【００１５】
以上、説明したように、本実施形態の外付けハードディスクドライブは、構造が簡単であり、別途ソフトウェアのサポートを必要としないため、本実施形態の外付けハードディスクドライブはより優れた情報セキュリティ機能をより低価格で提供することができる。
【００１６】
さらに、本実施形態の外付けハードディスクドライブは、上述の機械式ロックと、放熱ファン、外付けハードディスクドライブの複数の通気孔を含む前面板及び背面板を含み、放熱ファン及び複数の通気孔により放熱機能を形成し、外付けハードディスクドライブに優れた放熱機能を設けた、機械式ロックにより制御される情報セキュリティ機能を備えた外付けハードディスクドライブを提供することが可能となる。                
【００１７】
以上、本発明について具体的な実施例に基づき説明してきたが、本発明の要旨を逸脱しない範囲でほかにも多くの修飾や変化が可能である。このため、本発明の要旨を逸脱しないあらゆる修飾や変化はすべて本発明の特許請求の範囲に含まれるものとみなす。
【図面の簡単な説明】
【００１８】
【図１】本発明の好ましい実施形態に基づく外付けハードディスクドライブの立体斜視図である。
【図２】本発明の好ましい実施形態に基づく外付けハードディスクドライブの回路図である。
【図３】本発明の他の好ましい実施形態に基づく外付けハードディスクドライブの回路図である。
【図４】図１の外付けハードディスクドライブの背面図である。
【符号の説明】
【００１９】
１        ハウジング
１０      前面板
１０１    通気孔
１１      背面板
１１１    通気孔
２        ハードディスクユニット
２０      ハードディスク
２１      スイッチ
３        機械式ロック
３０      ロックコア
３１      鍵
４        信号ケーブル
４０      電気コード
５        コンピュータシステム
６        電源供給器
７        放熱ファン
８        電気ソケット
８０      インターフェースアダプタ
８１      押しボタン
【図１】
2007242097.tif 000003
【図２】
2007242097.tif 000004
【図３】
2007242097.tif 000005
【図４】
2007242097.tif 000006